(57)【特許請求の範囲】
【請求項１】
電動機の整流子に接触するブラシを摺動自在に収納する空間を有し、かつ側面に板状の２個の給電用端子を備えたブラシ箱と、前記給電用端子の各々の先端に接続するリード線と、前記ブラシ箱の側面に前記給電用端子が挿入される溝状開口部を有する絶縁性支持体とを備え、前記溝状開口部に前記接続端子が挿入されてこの接続端子の先端をひねって前記絶縁性支持体へ固定して、前記先端の各々に前記リード線が渡って接続される構成を有する電気接続保持装置。
【請求項２】
電動機の整流子に接触するブラシを摺動自在に収納する空間を有し、かつ側面に板状の２個の給電用端子を備えたブラシ箱と、前記給電用端子の各々の先端に接続するリード線と、前記ブラシ箱の側面に前記給電用端子が挿入される溝状開口部を有する絶縁性支持体とを備え、前記溝状開口部に前記接続端子が挿入されてこの接続端子の先端をひねって前記絶縁性支持体へ固定して、前記先端の各々に前記リード線が渡って接続される構成を有するブラシ保持装置。
【請求項３】
板状の接続端子の側面に切欠部を設けた請求項２記載のブラシ保持装置。
【請求項４】
溝状開口部に貫通する部分より導電部側の板状平面に凸部を設けた請求項２記載のブラシ保持装置。
【発明の詳細な説明】
【０００１】
【発明の属する技術分野】
本発明は電気接続保持装置及びブラシ保持装置に関する。
【０００２】
【従来の技術】
従来のブラシ保持器について、図８，図９および図１０を参照しながら説明する。図８においてはモータ給電用リード線１９はモータ内部にてブラシと導通すべく接続されており、そのリード線１９は口出しゴム２０を介して外部に取り出されている。図９，図１０においては給電用端子２１が絶縁物であるブッシング２２を介してモータケーシング２３に設けられた穴を通じて外部に取り出された後シールもしくは別ケーシング２４にて覆われている。
【０００３】
【発明が解決しようとする課題】
しかしながら上記従来の構成は様々な課題を有していた。図８の構造においては防水性能を確保するためにはモータ給電用リード線と口出しゴムとの隙間及び口出しゴムとモータケーシングに設けられた穴との隙間の２個所についてシールを行う必要があり、さらにモータ内部の限られた狭い空間にてモータ給電用リード線とブラシとの接続を行う必要がある、モータ給電用リード線が外部から引っ張られた場合の接続部の強度の課題がある、モータ内部の高温に絶えうる給電用リード線を必要とする、さらには多種類に渡るモータ給電用リード線をあらかじめモータ内部にて接続する工程が必要であり自動組立をする上での妨げとなっている等の問題を有していた。図９，図１０の構造においては、モータ内部にて給電用端子とブラシとの接続を図るため狭い空間で接続を行わなければならない、給電用端子の固定と位置決めをいかに行うかという課題を有している。さらには給電用リード線と端子との接続においても不安定であるという問題を有していた。
【０００４】
本発明は前記従来の問題点を一気に解決するもので従来に比べ信頼性の高い安価なモータを提供することを目的としている。
【０００５】
【課題を解決するための手段】
上記目的を達成するために本発明の電気接続保持装置は、導電部に設けた板状接続端子と、この板状端子の先端に接続するリード線と、前記導電部を支持する絶縁性支持体とを備え、この絶縁性支持体に形成した溝状開口部に前記板状接続端子を挿入し、先端をひねるので、リード線を絶縁支持体外部で接続を行うことができ、リード線の抜け落ちを防ぐことができる。
【０００６】
【発明の実施の形態】
本発明の電気接続保持装置は、電動機の整流子に接触するブラシを摺動自在に収納する空間を有し、かつ側面に板状の２個の給電用端子を備えたブラシ箱と、前記給電用端子の各々の先端に接続するリード線と、前記ブラシ箱の側面に前記給電用端子が挿入される溝状開口部を有する絶縁性支持体とを備え、前記溝状開口部に前記接続端子が挿入されてこの接続端子の先端をひねって前記絶縁性支持体へ固定して、前記先端の各々に前記リード線が渡って接続される構成を有する。また、本発明のブラシ保持装置は、電動機の整流子に接触するブラシを摺動自在に収納する空間を有し、かつ側面に板状の２個の給電用端子を備えたブラシ箱と、前記給電用端子の各々の先端に接続するリード線と、前記ブラシ箱の側面に前記給電用端子が挿入される溝状開口部を有する絶縁性支持体とを備え、前記溝状開口部に前記接続端子が挿入されてこの接続端子の先端をひねって前記絶縁性支持体へ固定して、前記先端の各々に前記リード線が渡って接続される構成を有する。このように絶縁性支持体に形成した溝状開口部に前記板状接続端子を挿入して先端をひねることで、絶縁性支持体の外部でリード線を接続することができ、かつ板状給電用端子を絶縁性支持体に取り付けることができる。
【０００７】
また、板状接続端子の切欠部を設けることにより、板状給電用端子をひねる時容易にひねることができる。
【０００８】
また、溝状開口部に貫通する部分より導電部側の板状平面に凸部を設けることにより、シール材を充填した場合、シール材がモータ内部に侵入するのを防ぐことができる。
【０００９】
電動機の整流子に接触するブラシを摺動自在に収納する空間を有し、側面に板状給電用端子を備えたブラシ箱と、前記板状給電用端子の先端に接続するリード線と、このブラシ箱の側面に前記板状給電用端子が挿入する溝状開口部を有する絶縁性支持体とを備え、前記溝状開口部に前記板状接続端子を挿入して先端をひねるので、絶縁支持体の外部でリード線を接続することができ、かつ板状給電用端子を絶縁性支持体に取り付けることができる。
【００１０】
【実施例】
以下本発明の実施例について、図面を参照して説明する。
【００１１】
図１は本発明によるブラシ保持装置を備えたモータの半断面図である。１は給電用端子でありブラシ２を収納するブラシ箱３と一体に形成されている。モータ給電用端子１は耐水性能確保のため外側よりシール材１６が充填されている。ブラシ２はモータ５の電機子６に形成された整流子７に安定した状態にて摺動することが望ましいが、そのためにはブラシ箱３はそれを保持する絶縁性支持体４に確実に固定されることが必要とされる。
【００１２】
本発明の詳細について図１のＡ部拡大図である図２を参照して説明する。図２において、ブラシ箱３を保持する絶縁性支持体４には細溝状開口部８が形成され、ブラシ箱３には細溝状開口部８に嵌合しかつ板状に形成された２個の給電用端子１が一体で形成されている。さらに給電用端子１には細溝状開口部８を貫通して給電用端子１を外部へ取り出す時に細溝状開口部８の外側端面９に合致する位置に、給電用端子１の両側より細溝状開口部８の外側端面９に平行な平面部１０を持った切欠部１１が形成されている。２個の給電用端子１は細溝状開口部８を貫通して外部に取り出された後、図３（ａ）および図３（ｂ）に示すように細溝状開口部８に対し前記切欠部１１にてひねって固定されている。従って１個のブラシ箱３に対して２個の給電用端子１にて固定されることになり、１個の端子にて固定される場合に比べて大幅に安定性が向上する。さらに給電用端子１の切欠部１１は、細溝状開口部８の外側端面９に合致した位置に、その外側端面９に平行な平面部１０をもった形状にて形成されていることにてその平面部１０と外側端面９の間にて強固に固定される。その後給電用端子１には図４（ａ）および図４（ｂ）に示すように給電用リード線１２が接続、半田付けされているが、この時給電用リード線１２は２個の給電用端子１３および１４に渡って半田付けされる工程となるため半田付け工程の作業性が大幅に向上されると同時に、半田付け後のリード線１２の引っ張り強度の大幅な向上と半田不良の大幅な低減が実現できる。
【００１３】
さらに図４（ｂ）に示すように、給電用端子の一方の先端１３は開口寸法が約１．６〜２．４ｍｍの略Ｕ字に形成されていると共に他方の先端近傍部１４には直径１．４ｍｍ〜２．２ｍｍの貫通穴が形成されている。その形状により給電用リード線の半田付け工程時のリード線１２の抜けを確実に防止できる。
【００１４】
なお、給電用端子１に形成される略Ｕ字形状と貫通穴の寸法，形状については特に限定するものではないが、発明者等が行った実験においては一方の側に形成される貫通穴については図５（ａ）に示すような丸穴形状１７にてはφ１．４〜φ２．２ｍｍに、さらに図５（ｂ）に示すような略三角形状１８においては角部がＲ０．７ｍｍの円形で一辺の長さが２．２ｍｍの正三角形に形成することで接続するリード線１２の外径が数種類に渡った場合においてもリード線１２の抜け防止効果をよく保つことができた。
【００１５】
さらに図６には給電用端子１のもう一方の側に形成される先端の形状が略Ｕ字形状としたものを示している。図７（図２中Ｃ−Ｃ断面図）に示すように前記細溝状開口部８と嵌合する給電用端子部１には板厚０．５ｍｍに対して段部高さ０．１５〜０．４ｍｍにて、かつ幅が端子幅の５０〜８０％、つまり端子幅５ｍｍに対し３ｍｍの幅をもった凸部１５が形成されている。凸部１５は前記のごとく適正な寸法形状とすることにより細溝状開口部８に対しスムーズな挿入と挿入後の安定性の確保およびシール材１６のモータ内部への浸入を防止する効果がある。
【００１６】
【発明の効果】
本発明は以上の説明から明らかなように、支持体外部でリード線の接続を容易に行えるので、リード線接続工程の作業性の向上を行うことができリード線の抜け落ちを防止することができる。
【００１７】
また、板状給電用端子に凸部を設けることにより、凸部溝状開口部にシール材を充填した場合、シール材がモータ内部に浸入することを防ぐことができる。
【図面の簡単な説明】
【図１】  本発明の一実施例におけるモータの半断面図
【図２】  図１のＡ部拡大断面図
【図３】  （ａ）図２のＸ−Ｘ矢視図
（ｂ）図２のＸ−Ｘ矢視図
【図４】  （ａ）本発明の一実施例におけるリード線固定の上面図
（ｂ）本発明の一実施例におけるリード線固定の斜視図
【図５】  （ａ）給電用端子の先端形状図
（ｂ）給電用端子の先端形状図
【図６】  給電用端子形状図
【図７】  給電用端子の図２中Ｃ−Ｃ断面図
【図８】  従来のモータにおけるリード線引き出し部断面図
【図９】  従来のモータにおける給電用端子接続部断面図
【図１０】  従来のモータにおける給電用端子接続部斜視図
【符号の説明】
１  給電用端子
３  ブラシ箱
４  絶縁性支持体
５  モータ
７  整流子
８  細溝状開口部
１１  給電用端子の切欠部
１２  リード線
１５  給電用端子の微少凸部
【図１】
0003892083.tif 000002
【図２】
0003892083.tif 000003
【図３】
0003892083.tif 000004
【図４】
0003892083.tif 000005
【図５】
0003892083.tif 000006
【図６】
0003892083.tif 000007
【図７】
0003892083.tif 000008
【図８】
0003892083.tif 000009
【図９】
0003892083.tif 000010
【図１０】
0003892083.tif 000011